(57)【要約】      （修正有）【課題】コンパクトであり、かつ、収納した御札を確実に保持することができる神棚及び神棚作製キットを提供する。【解決手段】御札５０を収納し得る大きさに形成され、背板部と、背板部の両端部に直交して接合された一対の側板部１２、１２と、一対の側板部１２、１２の下端部に接合された基板部１３とを有し、下端部を基板部１３上に載置して上端部を背板部に立て掛けて御札５０を長さ方向に立てた状態で収納しうる開口収納部１４と、開口収納部１４の上部に連設され、開口収納部１４を被覆しうる屋根部１５とを備えた神棚１０であって、一対の側板部１２、１２の上端部であって屋根部１５の下方には側板部１２、１２の間に幅方向に沿って架け渡された梁部１６が設けられている。【選択図】図３
0003201297.tif 000002
【実用新案登録請求の範囲】
【請求項１】
御札を収納し得る大きさに形成され、背板部と、前記背板部の両端部に直交して接合された一対の側板部と、前記一対の側板部の下端部に接合された基板部とを有し、下端部を前記基板部上に載置して上端部を前記背板部に立て掛けて御札を長さ方向に立てた状態で収納しうる開口収納部と、前記開口収納部の上部に連設され、前記開口収納部を被覆しうる屋根部とを備えた神棚であって、
前記一対の側板部の上端部であって前記屋根部の下方には前記側板部の間に幅方向に沿って架け渡された梁部が設けられていることを特徴とする神棚。
【請求項２】
前記梁部は、前記側板部の前端上に、上下方向に所定間隔をおいて配設された２本の棒状部材により形成されていることを特徴とする請求項１記載の神棚。
【請求項３】
前記基板部は、前記一対の側板部の間の間隔寸法よりも大きな長さ寸法を有する平面長方形板状に形成され、長さ方向両端部には夫々、脚部が設けられていることを特徴とする請求項１記載の神棚。
【請求項４】
前記開口収納部は、中央に配設された第一の開口収納部と、前記第一の開口収納部の両側に配設された第二の開口収納部及び第三の開口収納部とにより構成されると共に、前記屋根部は、前記第一の開口収納部を被覆する第一の屋根部と、前記第二の開口収納部を被覆する第二の屋根部と、前記第三の開口収納部を被覆する第三の屋根部とにより構成され、
前記第二の開口収納部及び第三の開口収納部は、長方形状の基板部と、前記基板部の長さ方向両端部に夫々立設された一対の外方側板部と、前記第一の開口収納部を構成する一対の側板部と、前記基板部の幅方向後端部において、基板部、前記一対の外方側板部の端部及び前記一対の側板部の端部に接合された背板部とにより構成されていることを特徴とする請求項１記載の神棚。
【請求項５】
平面長方形状の御札を収納するための神棚を組み立てることができる神棚作製キットであって、
背板部と、前記背板部の両端部に直交して接合された一対の側板部と、前記一対の側板部の下端部に接合された基板部とを有し、下端部を前記基板部上に載置して上端部を前記背板部に立て掛けて御札を長さ方向に立てた状態で収納しうる開口収納部と、前記開口収納部の上部に連設され、前記開口収納部を被覆しうる屋根部とを備え、前記一対の側板部の上端部であって前記屋根部の下方には前記側板部の間に幅方向に沿って架け渡された梁部が設けられていることを特徴とする神棚作製キット。
【考案の詳細な説明】
【技術分野】
【０００１】
本考案は、神棚及び神棚作製キットに関するものである。
【背景技術】
【０００２】
従来より、家や事務所等において神を祭るための神棚が広く知られている。特に多く見られるのは、宮型と呼ばれる神棚であり、小型の神社を模したものの中に神符・神札などを奉安するものである。
一般的に、神棚には神鏡や榊立て、灯明、注連縄等の神具を併せて設置することが多いため、神棚自体が比較的大きなものとなる。しかしながら、大きな神棚は製造コストが高く敬遠されやすいことに加えて、現在の住宅様式、住宅事情において、神棚を条件の整った場所に設置することが難しく、コンパクトな神棚が求められていた。
【０００３】
前記のような要望に応えるために、例えば特許文献１には、持参・移動にもかさばらず、取扱も容易で、御札を粗末にすることなく祀ることができる簡易神棚を提供することを課題として、対象とする御札の長さよりも若干大きめの寸法を有する背面部材と、該背面部材の基部を固定する固定溝および御札の下端を支持するための支持溝を備えた基礎部材と、前記背面部材の上端に固定する固定溝を備え、前方下がりに取付け可能な屋根部材と、から構成されることを特徴とする簡易神棚が開示されている。
【０００４】
特許文献１に開示された簡易神棚にあっては、御札の下端を支持溝に係合させ、御札の上部を背面部材に傾斜した状態で支持するように構成されている。しかしながら、実質的には御札を立てかけている状態にすぎないため、御札が手前方向又は横方向に倒れてしまうといった事態が生じていた。
【特許文献１】特開平１１−１８９２０号公報
【考案の開示】
【考案が解決しようとする課題】
【０００５】
本考案は、以上のような従来からの不具合を解消するためのものであって、その課題は、コンパクトであり、かつ、収納した御札を確実に保持することができる神棚及び神棚作製キットを提供することにある。
【課題を解決するための手段】
【０００６】
前記課題を解決するために、請求項１に記載の考案にあっては、御札を収納し得る大きさに形成され、背板部と、前記背板部の両端部に直交して接合された一対の側板部と、前記一対の側板部の下端部に接合された基板部とを有し、下端部を前記基板部上に載置して上端部を前記背板部に立て掛けて御札を長さ方向に立てた状態で収納しうる開口収納部と、前記開口収納部の上部に連設され、前記開口収納部を被覆しうる屋根部とを備えた神棚であって、前記一対の側板部の上端部であって前記屋根部の下方には前記側板部の間に幅方向に沿って架け渡された梁部が設けられていることを特徴とする。
【０００７】
従って、前記開口収納部に収納した前記御札が前記背板部側から前方の開口部側へ倒れてきた場合には、前記御札の上端部が前記梁部に当接し、前記御札を長さ方向に立てた状態が保持される。
【０００８】
請求項２に記載の考案にあっては、前記梁部は、前記側板部の前端上に、上下方向に所定間隔をおいて配設された２本の棒状部材により形成されていることを特徴とする。
【０００９】
請求項３に記載の考案にあっては、前記基板部は、前記一対の側板部の間の間隔寸法よりも大きな長さ寸法を有する平面長方形板状に形成され、長さ方向両端部には夫々、脚部が設けられていることを特徴とする。
【００１０】
従って、前記開口収納部に収納された前記御札の荷重は、前記基板部に設けられ、前記一対の側板部の間よりも大きな間隔寸法を有する一対の前記脚部によって支持される。
【００１１】
請求項４に記載の考案にあっては、前記開口収納部は、中央に配設された第一の開口収納部と、前記第一の開口収納部の両側に配設された第二の開口収納部及び第三の開口収納部とにより構成されると共に、前記屋根部は、前記第一の開口収納部を被覆する第一の屋根部と、前記第二の開口収納部を被覆する第二の屋根部と、前記第三の開口収納部を被覆する第三の屋根部とにより構成され、前記第二の開口収納部及び第三の開口収納部は、長方形状の基板部と、前記基板部の長さ方向両端部に夫々立設された一対の外方側板部と、前記第一の開口収納部を構成する一対の側板部と、前記基板部の幅方向後端部において、基板部、前記一対の外方側板部の端部及び前記一対の側板部の端部に接合された背板部とにより構成されていることを特徴とする。
【００１２】
従って、中央に配設された前記開口収納部に加え、前記第二の開口収納部及び第三の開口収納部に、夫々、御札を収納しうるように構成される。
【００１３】
請求項５に記載の考案にあっては、平面長方形状の御札を収納するための神棚を組み立てることができる神棚作製キットであって、背板部と、前記背板部の両端部に直交して接合された一対の側板部と、前記一対の側板部の下端部に接合された基板部とを有し、下端部を前記基板部上に載置して上端部を前記背板部に立て掛けて御札を長さ方向に立てた状態で収納しうる開口収納部と、前記開口収納部の上部に連設され、前記開口収納部を被覆しうる屋根部とを備え、前記一対の側板部の上端部であって前記屋根部の下方には前記側板部の間に幅方向に沿って架け渡された梁部が設けられていることを特徴とする。
【００１４】
従って、神棚を組み立てて、前記御札を前記開口収納部に収納することができると共に、前記開口収納部に収納した前記御札が前記背板部側から前方の開口部側へ倒れてきた場合には、前記御札の上端部が前記梁部に当接し、前記御札を長さ方向に立てた状態が保持される。
【考案の効果】
【００１５】
請求項１及び４に記載の神棚にあっては、御札を収納し得る大きさに形成された開口収納部を有し、前記開口収納部に収納した前記御札の上端部側が前記背板部側から前方の開口部側へ倒れてきた場合には、前記御札の上端部が前記梁部に当接し、前記御札を長さ方向に立てた状態が保持されるので、前記御札が前記開口収納部から脱落してしまうといった事態を防止することができる。
また、さらに、前記一対の側板部によって、前記御札の幅方向両端部が保持されるので、前記御札を安定した状態で保持することができる。その結果、コンパクトであり、かつ、収納した御札を確実に保持することができる神棚を提供することができる。
【００１６】
特に、請求項４に記載の神棚にあっては、中央に配設された前記開口収納部に加え、前記第二の開口収納部及び第三の開口収納部に、夫々、御札を収納することができる。
【００１７】
請求項２に記載の神棚にあっては、前記梁部は、前記側板部の前端上に、上下方向に所定間隔をおいて配設された２本の棒状部材により形成されているので、前記梁部が一般的な鳥居の笠木及び貫を模した外観となるので、神棚としての外観品質を向上することができ、使用者に高い満足感を抱かせることができる。
【００１８】
請求項３に記載の神棚にあっては、前記開口収納部に収納された前記御札の荷重は、前記基板部に設けられ、前記一対の側板部の間よりも大きな間隔寸法を有する一対の前記脚部によって支持されるので、前記御札を収納した請求項３に記載の神棚を安定して設置することができる。
【００１９】
請求項５に記載の神棚作製キットにあっては、神棚を組み立てて、前記御札を前記開口収納部に収納することができるので、組み立てるまではキットとしてコンパクトに保管することができる。また、請求項５に記載の神棚作製キットにあっては、部品数が少ないので簡単に組み立てることができる。
また、請求項５に記載の神棚作製キットから神棚を組み立てて、前記御札を前記開口収納部に収納し、前記開口収納部に収納した前記御札が前記背板部側から前方の開口部側へ倒れてきた場合には、前記御札の上端部が前記梁部に当接し、前記御札を長さ方向に立てた状態が保持されるので、前記御札が前記開口収納部から脱落してしまうといった事態を防止することができる。
また、さらに、前記一対の側板部によって、前記御札の幅方向両端部が保持されるので、前記御札を安定した状態で保持することができる。その結果、組み立てた後もコンパクトであり、かつ、収納した御札を確実に保持することができる神棚作製キットを提供することができる。
【図面の簡単な説明】
【００２０】
【図１】図１は、本考案に係る神棚の一実施の形態を示す正面側斜視図である。
【図２】図２は、本考案に係る神棚の一実施の形態を示す背面側斜視図である。
【図３】図３は、本考案に係る神棚の一実施の形態において、御札を収納した状態を示す正面側斜視図である。
【図４】図４は、本考案に係る神棚の第二の実施の形態を示す正面側斜視図である。
【図５】図５は、本考案に係る神棚作製キットの一実施の形態において、神棚作製キットを構成する部品を示す平面図である。
【考案を実施するための最良の形態】
【００２１】
以下、添付図面に示す実施の形態に基づき、本考案を詳細に説明する。
図１〜図３に示すように、本考案の一実施の形態に係る神棚１０は、全体木製であって、平面略長方形状の御札５０の幅寸法及び高さ寸法よりわずかに大きい幅寸法Ｌ１及び高さ寸法Ｌ５を有する略長方形薄板状に形成された背板部材１１と、背板部材１１の両端部に直交して接合された、幅寸法Ｌ３を有する一対の側板部材１２、１２と、一対の側板部材１２、１２の下端部に接合された幅寸法Ｌ３の基板部材１３とを有する開口収納部１４と、開口収納部１４の上部に連設され、開口収納部１４を被覆しうる屋根部１５とを備えている。
また、図１〜図３に示すように、本実施の形態に係る神棚１０は、一対の側板部材１２、１２の上端部であって屋根部１５の下方には側板部材１２、１２の間に幅方向に沿って架け渡された梁部１６が設けられている。
【００２２】
また、図１〜図３に示すように、本実施の形態に係る梁部１６は、側板部材１２、１２の前端２２、２２上に、上下方向に所定間隔をおいて配設された平面長方形細長板状に形成された２本の棒状部材１７、１７により構成されている。
また、図１〜図３に示すように、本実施の形態に係る基板部材１３は、一対の側板部材１２、１２の間の間隔寸法Ｌ１よりも大きな長さ寸法Ｌ２を有する平面長方形板状に形成され、一対の側板部材１２、１２の長さ方向両端部には夫々、側板部材１２の幅寸法Ｌ３と同一の長さ寸法Ｌ４を有する平面長方形細長板状に形成された脚部材１８、１８が設けられている。
【００２３】
本実施の形態に係る神棚１０の構成について、添付図面を用いてより詳細に説明する。
図１〜図３及び図５に示すように、本実施の形態に係る側板部材１２は、先端部に２つの斜辺部１９、１９を有する平面細長五角形板状に形成されている。
図１〜図３に示すように、本実施の形態に係る屋根部１５は、平面長方形板状に形成された一対の屋根部材２０、２０により構成されている。図１〜図３に示すように、一対の屋根部材２０、２０は、夫々、一対の側板部材１２、１２の斜辺部１９、１９の前端上に架け渡され、屋根部材２０、２０の長さ方向一端部を互いに突き合わせることによって固定され、全体として切妻屋根を形成している。
また、図１〜図３に示すように、本実施の形態に係る屋根部１５には、千木を模して、側面形状が長方形の一つの角を切り落とした台形である全体角形細長棒状に形成された装飾部材２１、２１、２１、２１が、屋根部材２０、２０の頂部に略Ｖ字状に突出して、互いに所定間隔離間して、一対に配設されている。
【００２４】
以上の構成を有する第一の実施の形態に係る神棚１０は、御札を重ねて収納する一社宮を模して形成されている。一方で、図４に示す第二の実施の形態に係る神棚３０は、三社宮を模して形成されている。第二の実施の形態に係る神棚３０は、第一の実施の形態に係る神棚１０と共通する構成に関し、第一の実施に形態と同一の符号を付し、その説明を省略する。
図４に示すように、第二の実施の形態に係る神棚３０の開口収納部は、中央に配設された第一の開口収納部１４と、第一の開口収納部１４の両側に配設された第二の開口収納部３４ａ及び第三の開口収納部３４ｂとにより構成されている。
図４に示すように、第二の実施の形態に係る神棚３０の屋根部は、第一の開口収納部１４を被覆する第一の屋根部１５と、第二の開口収納部３４ａを被覆する第二の屋根部３５ａと、第三の開口収納部３４ｂを被覆する第三の屋根部３５ｂとにより構成されている。
【００２５】
図４に示すように、第二の実施の形態に係る第二の開口収納部３４ａ及び第三の開口収納部３４ｂは、長方形状の基板部材３１と、基板部材３１の長さ方向両端部に夫々立設された一対の外方側板部材３３ａ、３３ｂと、第一の開口収納部１４を構成する一対の側板部材１２ａ、１２ｂと、基板部材３１の幅方向後端部において、基板部材３１、一対の外方側板部材３３ａ、３３ｂの端部及び一対の側板部材１２ａ、１２ｂの端部に接合された背板部材１１、３２ａ、３２ｂとにより構成されている。
図４に示すように、背板部材１１は一対の側板部材１２ａ、１２ｂ間に、背板部材３２ａ、３２ｂは、夫々、外方側板部材３３ａと側板部材１２ａ、外方側板部材３３ｂと側板部材１２ｂとの間に配設されている。
【００２６】
また、図４に示すように、第二の実施の形態に係る神棚３０は、外方側板部材３３ａ、３３ｂ及び一対の側板部材１２ａ、１２ｂの上端部であって第二の屋根部３５ａ及び第三の屋根部３５ｂの下方には、外方側板部材３３ａと側板部材１２ａ及び外方側板部材３３ｂと側板部材１２ｂとの間に、幅方向に沿って架け渡された第二の梁部３６、３６が設けられている。
【００２７】
また、図４に示すように、本実施の形態に係る第二の梁部３６、３６は、夫々、一の外方側板部材３３、一の側板部材１２の前端３７、３７・・・上に、梁部１６を構成する２本の棒状部材１７、１７と互い違いになるように、上下方向に所定間隔をおいて配設された平面長方形細長板状に形成された、夫々、２本の棒状部材３８ａ、３８ｂにより構成されている。
【００２８】
また、図４に示すように、第二の実施の形態に係る神棚３０は、基板部材３１が図１に示す第一の実施の形態に係る基板部材１３の長さ寸法Ｌ２よりも大きい長さ寸法Ｌ６を有している。
図４に示すように、第二の実施の形態に係る背板部材３２ａ、３２ｂは、背板部材１１と同一の幅寸法Ｌ１及び背板部材１１よりも小さい高さ寸法Ｌ５を有する略長方形薄板状に形成されている。また、図４に示すように、第二の実施の形態に係る外方側板部材３３ａ、３３ｂは、側板部材１２ａ、１２ｂと同一の幅寸法Ｌ３及び側板部材１２よりも小さい高さ寸法Ｌ５を有し、先端部に２つの斜辺部（図示せず）を有する平面細長五角形板状に形成されている。
図４に示すように、本実施の形態に係る第二の屋根部３５ａ及び第三の屋根部３５ｂは、夫々、平面長方形板状に形成された一対の屋根部材３９、３９により構成されている。図４に示すように、一対の屋根部材３９、３９は、夫々、外方側板部材３３ａの斜辺部の前端上と側板部材１２ａの上端部、外方側板部材３３ｂの斜辺部の前端上と側板部材１２ｂの上端部との間に架け渡され、屋根部材３９、３９の長さ方向一端部を互いに突き合わせることによって固定され、全体として切妻屋根を形成している。
その結果、第二の実施の形態に係る神棚３０は、中央に配設された第一の屋根部１５の高さ寸法が大きく、両側の第二の屋根部３５及び第三の屋根部３５の高さ寸法が小さい、屋根違い三社として構成されている。他の構成は第一の実施の形態に係る神棚１０と同一である。
【００２９】
図５に示すように、本実施の形態に係る神棚作製キット４０は、全体木製であって、平面略長方形状の幅寸法Ｌ１及び高さ寸法Ｌ５を有する略長方形薄板状に形成された１枚の背板部材１１と、幅寸法がＬ３であって、先端部に２つの斜辺部１９、１９を有する平面細長五角形板状に形成された２枚の側板部材１２、１２と、長さ寸法Ｌ２を有する平面長方形板状に形成された１枚の基板部材１３と、平面長方形細長板状に形成された２本の棒状部材１７、１７と、平面長方形細長板状に形成された２本の脚部材１８、１８と、平面長方形板状に形成された２枚の屋根部材２０、２０と、側面形状が長方形の一つの角を切り落とした台形である全体角形細長棒状に形成された４本の装飾部材２１、２１、２１、２１とにより構成されている。
【００３０】
本実施の形態に係る神棚１０は、神棚作製キット４０から以下の手順で組み立てることができる。
図１〜図３、及び図５に示すように、本実施の形態に係る神棚作製キット４０において、背板部材１１の幅方向両端部に直交して、一対の側板部材１２、１２を幅方向両端部において夫々接着剤により接合し、さらに一対の側板部材１２、１２の下端部に基板部材１３を接着剤により接合することによって、開口収納部１４を形成する。
続いて、図１〜図３、及び図５に示すように、一対の側板部材１２、１２の斜辺部１９、１９の前端上に掛け渡して接着剤により固定し、さらに屋根部材２０、２０の長さ方向一端部を互いに突き合わせて接着剤により固定することによって、屋根部１５を形成する。
さらに、図１〜図３、及び図５に示すように、２本の棒状部材１７、１７を一対の側板部材１２、１２の上端部であって屋根部１５の下方において、側板部材１２、１２の前端２２、２２上に上下方向に所定間隔をおいて、側板部材１２、１２の間に幅方向に沿って架け渡して接着剤により固定することで梁部１６を形成する。
またさらに、図１〜図３、及び図５に示すように、一対の側板部材１２、１２の長さ方向両端部に夫々、脚部材１８、１８を長さ方向両端部に接着剤により固定すると共に、装飾部材２１、２１、２１、２１を屋根部材２０、２０の表面上に所定間隔離間して、夫々、一対ずつ接着剤によりＶ字状に配設固定することで、神棚１０が完成する。
【００３１】
以下、本実施の形態に係る神棚１０、３０及び神棚作製キット４０の作用について説明する。
図１〜図３に示すように、本実施の形態に係る神棚１０は、平面略長方形状の御札５０の幅寸法及び高さ寸法よりわずかに大きい幅寸法Ｌ１及び高さ寸法Ｌ５を有する略長方形薄板状に形成された背板部材１１と、背板部材１１の両端部に直交して接合された、幅寸法Ｌ３を有する一対の側板部材１２、１２と、一対の側板部材１２、１２の下端部に接合された幅寸法Ｌ３の基板部材１３とを有する開口収納部１４が設けられているので、御札５０の下端部５１を基板部材１３上に載置して上端部５２を背板部材１１に立て掛けて御札５０を長さ方向に立てた状態で収納することができる。
この際、図１〜図３に示すように、本実施の形態に係る神棚１０は、一対の側板部材１２、１２の上端部であって屋根部１５の下方には側板部材１２、１２の間に幅方向に沿って架け渡された２本の梁部１６が設けられているので、開口収納部１４に収納した御札５０の上端部５２側が背板部材１１側から前方の開口部側へ倒れてきた場合には、御札５０の上端部５２が梁部１６に当接し、御札５０を長さ方向に立てた状態が保持される。その結果、御札５０が開口収納部１４から脱落してしまうといった事態を防止することができる。
また、さらに、一対の側板部材１２、１２によって、御札５０の幅方向両端部が保持されるので、御札５０を安定した状態で保持することができる。その結果、コンパクトであり、かつ、収納した御札を確実に保持することができる神棚を提供することができる。
【００３２】
また、図１〜図３に示すように、本実施の形態に係る神棚１０にあっては、梁部１６が、側板部材１２、１２の前端２２、２２上に、上下方向に所定間隔をおいて配設された平面長方形細長板状に形成された２本の棒状部材１７、１７により構成されている。
この際、梁部１６が一般的な鳥居の笠木及び貫を模した外観となるので、神棚としての外観品質を向上することができ、使用者に高い満足感を抱かせることができる。
さらに、図１〜図３に示すように、本実施の形態に係る屋根部１５には、千木を模した装飾部材２１、２１、２１、２１が設けられ、神社の拝殿の屋根を模しているので、神棚としての外観品質をさらに向上することができる。
【００３３】
また、図１〜図３に示すように、本実施の形態に係る基板部材１３は、一対の側板部材１２、１２の間の間隔寸法Ｌ１よりも大きな長さ寸法Ｌ２を有する平面長方形板状に形成され、一対の側板部材１２、１２の長さ方向両端部には夫々、側板部材１２の幅寸法Ｌ３と同一の長さ寸法Ｌ４を有する平面長方形細長板状に形成された脚部材１８、１８が設けられている。
従って、本実施の形態に係る神棚１０に御札５０を収納した場合には、開口収納部１４に収納された御札５０の荷重は、基板部材１３に設けられ、一対の側板部材１２、１２の間よりも大きな間隔寸法Ｌ２を有する一対の脚部１８、１８によって支持されるので、御札５０を収納した神棚１０を安定して設置することができる。
【００３４】
また、図４に示すように、第二の実施の形態に係る神棚３０は、中央に配設された第一の開口収納部１４に加え、第二の開口収納部３４ａ及び第三の開口収納部３４ｂに、夫々、御札（図示せず）を収納しうると共に、第二の開口収納部３４及び第三の開口収納部３４に収納した前記御札が背板部３２、３２側から前方の開口部側へ倒れてきた場合には、前記御札の上端部が第二の梁部３６、３６に当接し、前記御札を長さ方向に立てた状態が保持されるので、前記御札が第二の開口収納部３４ａ及び第三の開口収納部３４ｂから脱落してしまうといった事態を防止することができる。
また、さらに、側板部材１２ａ、１２ｂ及び一対の外方側板部材３３ａ、３３ｂによって、前記御札の幅方向両端部が保持されるので、前記御札を安定した状態で保持することができる。
【００３５】
また、図５に示すように、本実施の形態に係る神棚作製キット４０は、部品数が少ないので組み立てるまではキットとしてコンパクトに保管することができる。さらに、本実施の形態に係る神棚作製キット４０から、接着剤を用いるのみで神棚１０を組み立てることができ、また、組み立てた後もコンパクトであり、かつ、収納した御札を確実に保持することができる神棚１０として使用することができる。
【００３６】
本実施の形態に係る梁部１６、３６は、側板部材１２、１２の前端２２、２２上に、上下方向に所定間隔をおいて配設された平面長方形細長板状に形成された２本の棒状部材１７、１７により構成されている場合を例に説明したが、前記構成に限定されるものではなく、開口収納部１４に収納した御札５０の上端部５２側が背板部１１側から前方の開口部側へ倒れてきた場合に、御札５０の上端部５２が梁部１６に当接し、御札５０を長さ方向に立てた状態が保持されるように構成されていればよい。
【００３７】
第二の実施の形態に係る神棚３０は、中央に配設された第一の屋根部１５の高さ寸法が大きく、両側の第二の屋根部３５及び第三の屋根部３５の高さ寸法が小さい、屋根違い三社として構成されている場合を例に説明したが、前記構成に限定されず、第一の屋根部、第二の屋根部、及び、第三の屋根部の高さ寸法が同一で一体に形成された通し屋根三社として構成してもよい。
【産業上の利用可能性】
【００３８】
本考案は、神棚及び神棚作製キットに広く適用可能であり、産業上利用可能性を有している。
【符号の説明】
【００３９】
１０、３０：神棚
１１、３２ａ、３２ｂ：背板部材
１２、１２ａ、１２ｂ、３３ａ、３３ｂ：側板部材
１３、３１：基板部材
１４、３４ａ、３４ｂ：開口収納部
１５、３５ａ、３５ｂ：屋根部
１６、３６：梁部
１７、３８ａ、３８ｂ：棒状部材
１８：脚部材
１９：斜辺部
２０、３９：屋根部材
２１：装飾部材
２２、３７：側板部材の前端
４０：神棚作製キット
５０：御札
５１：御札の下端部
５２：御札の上端部
Ｌ１：側板部材間の間隔寸法
Ｌ２、Ｌ６：基板部材の長さ寸法
Ｌ３：側板部材の幅寸法
Ｌ４：脚部材の長さ寸法
Ｌ５、Ｌ７：背板部材の高さ寸法
【図１】
0003201297.tif 000003
【図２】
0003201297.tif 000004
【図３】
0003201297.tif 000005
【図４】
0003201297.tif 000006
【図５】
0003201297.tif 000007